(57)【要約】      （修正有）【課題】いつでも、何処でも、苦痛を伴うことなく簡単に使用出来、長時間の使用が可能であり、しかも、ツボに加える力の強弱が加減出来て、その効果を顕著なものとする指圧棒を提供する。【解決手段】木材を円筒状１に加工し、その両端及び中央部の凹部分３に丸みを持たせて、背もたれ利用指圧棒とし、自動車の座席や机の前の椅子に座った時、その背もたれと、身体の  首、肩、背中、腰、等の凝りや張りのある場所との間に挟み、ハンドル、あるいは机の縁を手で掴み、腕に力を加えて突っ張る事によって、そのツボに強弱の加減された力を与える事が出来、それによって効果を期待することができる。【選択図】図５
0003117238.tif 000002
【実用新案登録請求の範囲】
【請求項１】
木材を円筒状に加工し、その両端も丸く加工し、更に円筒の中央部を丸く凹状に加工した、背もたれ利用指圧棒。
【請求項２】
請求項１の円筒状の部分に凸部を設け、ツボに接する面積を狭くすることで、単位面積当りに加わる力の量を増加させ、指圧効果の向上を計った、背もたれ利用指圧棒。
【請求項３】
請求項１、２、の指圧棒を自動車の座席や、机の前の椅子に座った時に、その背もたれと身体の  首、肩、背中、腰、等の凝りや張りのある場所にあてがい、自動車のハンドルや机の縁に手を掛け、体重を背もたれに預けると同時に、腕に力を入れて突っ張る事により、より強い刺激をツボに与え、指圧効果を高める事の出来る、背もたれ利用指圧棒。
【請求項４】
請求項１、２、の指圧棒の長さは、一般の人の背筋の外端以内とし、太さは、一般の人が身体と背もたれの間に挟んで、快適に感ずる太さとする、背もたれ利用指圧棒。
【考案の詳細な説明】
【技術分野】
【０００１】本考案は、背もたれ利用指圧棒に関するものである。
【背景技術】
【０００２】従来の指圧棒や、マッサージ器は、例えば、「登録実用新案第３０９８７５９号」や、「特開２００３−３１０６８７」等を使用する場合、いづれも仰臥して床と背中の間にそれらを挟み、自身の体重のみでツボを刺激するものであった。
そして、いづれの考案も、その両端が単に切断した状態、もしくはそれに近い状態であった。
故に、ある程度の長さ、すなわち、身体の巾、あるいはそれ以上の長さが無いと、その両端の形状からして、身体の重みを掛けた場合に、角が身体に食い込み、痛みを感じたと思われる。
又、使用する度に、いちいち仰臥しなければならないというのは、使用場所も非常に限られてしまい、使用頻度は低下してしまうと思われる。
そして、身体の重みだけの力では、患部に一定の刺激しか与える事が出来ず、強い刺激、弱い刺激と、加減する事が出来なかった。
以上、従来の考案は、両端の形状、長さによる使用の不備、限定された使用場所、一定限度の使用効果、そして、携帯の不便利さ、等、多くの問題があった。
【考案の開示】
【考案が解決しようとする課題】
【０００３】長時間の自動車の運転や、長時間の机上の執務によって起こる、首、肩、背中、腰、等、に発生する、凝り、張り、痛み、不快感、は、非常に辛いものがあり、多種多様の、指圧棒、マッサージ器が考案される所以であると思われる。
しかしながら、これらの多くは、簡単に、しかも、確実に効果を上げられるものが少なかった。
いちいち、床に仰臥しなければ使用出来なかったり、体重以上の力を掛ける事が出来ない為のもどかしさを感じさせられたり、使い方によっては思わぬ苦痛を味わったり、解決しなければならない課題が数多くあった。
指圧棒、マッサージ器の、使用する上での最良の条件は、いつでも、何処でも、簡単に使用出来、長時間継続が可能で、しかも、苦痛を感ずる事もなく、ツボに加える力の強弱が加減出来、その指圧効果を顕著に上げられる事に尽きると考察される。
これらの条件が、解決しようとする課題である。
【課題を解決するための手段】
【０００４】本考案は、上記の課題を解決するために考案された、「背もたれ利用指圧棒」である。まず、指圧棒の長さは、一般の人の背筋の外端に届くものとし、太さは、一般の人が身体と、自動車や椅子の背もたれの間にそれを挟んで、快適に感ずる太さとする。
材料は、感触が人に優しく、又、杢目の美しい、材木を使用する。
以上の材料を、まず、円筒状に加工し、両端を丸く肌触りの良い形に加工し、更に、円筒状の中央部分を、丸みを持たせた凹状に加工する。
これが、請求項１の、背もたれ利用指圧棒である。
更に、指圧効果を上げる為の指圧棒として、請求項１の指圧棒の円筒状部分に、数本の凸型の筋を設ける。
これは、ツボに接触する面積を狭くすることで、単位面積当りの力の量を増加させる事が出来、より、指圧効果を上げる事が可能である。
これが、請求項２の背もたれ利用指圧棒である。
本考案は、これらの形状により、長時間使用しても、体重以上の力を掛けても苦痛を感ずる事はない。
すなわち、その丸みのある両端は、強い力でも身体に食い込む事はなく、又、中央の丸みを帯びた凹状部分は、背骨に直接触れることもなく、ツボに与える力の加減を、強く、弱く、長時間繰り返しても、何ら苦痛を感ずる事はないのである。
又、これらの形状により、本考案は簡単に使用する事が出来る。
すなわち、自動車の座席や、机の前の椅子に座っている時に、本考案をその背もたれと身体の、首、肩、背中、腰、等の間に挟み、ハンドル、あるいは、机の縁を手で握り、体重を背もたれに預けながら、腕に力を入れて突っ張ると、望む箇所のツボを刺激し、簡単に指圧に使用する事ができる。
そして、これらの形状により本考案は、首、肩、背中、腰、等のツボに加える力を、腕の突っ張る力によって、自由に強くする事も、弱くする事も出来、より一層の指圧効果果を上げる事が可能である。
さらに、これらの形状により、本考案は、持ち運びが簡単であり、使用したい場所、例えば、自動車の中、机の上、等、常時その場所に置いても邪魔にならず、すぐに使用する事が出来る。
以上述べた様に、本考案は、指圧棒としての数々の問題点を解決している。
【考案の効果】
【０００５】上述したように、本考案の背もたれ利用指圧棒は、自動車の座席に長時間座って運転した時、椅子に座って長時間の執務をした時、簡単に使用する事が出来、又、ツボに与える力を、強烈にすることも微弱にすることも可能であり、確かな効果を上げる事が出来る。
又、安全で単純な形であり、携帯に便利なサイズで使用頻度は高い。
【考案を実施するための最良の形態】
【０００６】本考案の背もたれ利用指圧棒を、自動車の座席に座って使用する場合を例に取ると、まづ、自動車を路肩に寄せて駐車し、安全な場所である事を確認する。
本考案の指圧棒を取り出し、自身の凝りや張りを感じた場所、例えば、背中の場合には、指圧棒の中央の凹部分を、背骨の位置に合わせて背骨と直交するように据え、背もたれとの間に挟む。
体重を背もたれに預けながら、ハンドルを両手で掴み、体重を背もたれに掛けながら、ハンドルを掴んだ腕を突っ張るように力を入れて行くと、座席からの反作用によって、指圧棒が背中のツボに、その丸面の故に快く刺激を与えるのである。
突っ張る腕の力を加減することによって、強い刺激も、弱い刺激も自由に与える事が可能であり、指圧効果を確かなものとする事が出来るのである。
【実施例】
【０００７】以下、添付図面に従って本考案の実施例を図１〜図６に基づいて説明する。
図に於て１は、請求項１に記載されている木材で作った指圧棒の側面図であり、図２はその断面図である。
１は加工された円筒状の部分であり、自動車の座席及び椅子の背もたれと、身体の、首、肩、背中、腰、の各ツボと接する部分であり、２は指圧棒の端が身体に触れても角の食い込みによる痛みを感じないように丸く加工してある。
３は背骨と直交して使用する場合に、指圧棒と背骨が直接触れないように、丸く凹状に加工してある。【０００８】図３は、請求項２に記載されている木材で作った指圧棒の側面図であり、図４はその断面図である。
４は図１の身体に接する部分の面積を狭くする事で、単位面積当りの力の量を増して、より強い刺激を得ようとするものであり、一本の材木より加工して数本の凸状の筋を浮き出させたものである。
図５は自動車の座席に座って、本考案の指圧棒を使用している図である。
図１の指圧棒、又、図３の指圧棒を、自動車の座席の背もたれと、身体の背中のツボの位置に合わせ、ハンドルを掴んだ腕に力を加えて指圧に励んでいる図である。
図６は同じく机の前の椅子に座り、同様に指圧に励んでいる図である。
【産業上の利用可能性】
【０００９】本考案は、背もたれ利用指圧棒として産業上利用される。
【図面の簡単な説明】
【００１０】
【図１】請求項１に記載さねている、背もたれ利用指圧棒の側面図である。
【図２】図１の断面図である。
【図３】請求項２に記載されている、背もたれ利用指圧棒の側面図である。
【図４】図３の断面図である。
【図５】自動車の座席に座って本考案の背もたれ利用指圧棒を使用している図である。
【図６】椅子に座って本考案の背もたれ利用指圧棒を使用している図である。
【符号の説明】
【００１１】１  円筒状部分
２  指圧棒先端の丸み
３  円筒状中央の丸みを帯びた凹状部分
４  指圧効果を高める為の凸状部分
【図１】
0003117238.tif 000003
【図２】
0003117238.tif 000004
【図３】
0003117238.tif 000005
【図４】
0003117238.tif 000006
【図５】
0003117238.tif 000007
【図６】
0003117238.tif 000008